(57)【要約】【課題】基地局のエリア外で移動機間で直接通信を行う場合に、当該移動機間での直接通信を中継する移動機の電源がＯＦＦになっていると全ての機能が停止するため、通信の中継が行われず移動機間で通信ができなくなるという問題が発生する。このため、移動機間で重要な通信を行いたい場合でも、通信が行えないという状況が発生する。【解決手段】他の移動機間における通信の中継を行なう中継機能を有する移動機であって、前記移動機の電源がＯＦＦにされた場合に、少なくとも中継機能を動作させる電源を供給するようにしたことで、基地局の電波の届かない場所で移動機間で直接通信を行っている場合に中継を行っている移動機の電源がＯＦＦになっても中継機能の部分には電源が供給されるため、移動機間の直接通信に影響を与えることが無くなる。【選択図】図１
2004320370.tif 000002
【特許請求の範囲】
【請求項１】
他の移動機間における通信の中継を行なう中継機能を有する移動機であって、
前記移動機の電源がＯＦＦにされた場合に、少なくとも中継機能を動作させる電源を供給するようにしたことを特徴とする移動機。
【発明の詳細な説明】
【０００１】
【発明の属する技術分野】
本発明は、中継機能を有する移動機に関するものである。
【０００２】
【従来の技術】
建物や山間僻地などの基地局の電波が届かない場所でも通信を行うために、特に業務用の移動通信においては、移動機間で直接通信を行う機能（移動機間直接通信）が求められる。ここで、移動機間直接通信が可能な場合及び不可能な場合について図２（ａ）及び（ｂ）を用いて説明する。
【０００３】
図２（ａ）は、移動機２Ａと移動機２Ｂの位置関係を示す図である。図２（ａ）において、２０Ａは移動機２Ａの通信エリアを示し、２０Ｂは移動機２Ｂの通信エリアを示す。移動機２Ａの通信エリア２０Ａとは、移動機２Ａが通信可能な範囲を示すものである。この図２（ａ）では、移動機２Ａ及び移動機２Ｂはお互いの通信エリア内に存在していることから移動機間直接通信が可能な状態を示す。
【０００４】
図２（ｂ）は、移動機２Ａと移動機２Ｂの他の位置関係を示す図である。図２（ｂ）において、移動機２Ａ及び移動機２Ｂはお互いのエリア外に存在していることから、移動機間直接通信が不可能であることを示す。
【０００５】
図２（ｂ）に示したように、移動機間直接通信は通信を行いたい移動機同士がお互いの通信エリアに存在していないと通信を行うことができない。この問題を解決するために、通信の呼出元と呼出先の移動機の通信エリア内に存在する移動機を中継機として機能させ、通信を行いたい移動機同士がお互いの通信エリア内に存在しなくても通信を行える無線通信（マルチホップ通信）の検討がなされている。このマルチホップ通信では、移動機が中継機能を有していなければならない。ここで、中継機能を用いて移動機間の直接通信が可能な場合及び不可能な場合について図２（ｃ）及び（ｄ）を用いて説明する。
【０００６】
図２（ｃ）は、移動機２Ａ、移動機２Ｂと移動機２Ｃの位置関係を示す図である。図２（ｃ）において、２０Ａは移動機２Ａの通信エリアを示し、２０Ｂは移動機２Ｂの通信エリアを示し、２０Ｃは移動機２Ｃの通信エリアを示している。この図２（ｃ）では、移動機２Ａ及び移動機２Ｂはお互いの通信エリア外に存在していることから移動機間直接通信は不可能であるが、移動機２Ａと移動機２Ｂの両方の通信エリア内に存在する移動機２Ｃを中継機として機能させることで、移動機２Ａと移動機２Ｂは移動機間直接通信が可能である。
【０００７】
図２（ｄ）は、移動機２Ａ、移動機２Ｂと移動機２Ｃの他の位置関係を示す図である。図２（ｄ）において、移動機２Ａと移動機２Ｂはお互いの通信エリア外に存在していることから、移動機間直接通信が不可能である。ここで移動機２Ｃを中継機として機能させることを考えるが、この図の場合移動機２Ｃは移動機２Ａと移動機２Ｂの両方の通信エリア内に存在しないため、移動機２Ａと移動機２Ｂは移動機２Ｃを中継機として移動機間直接通信を行うことは不可能である。この図２（ｄ）のようなケースの場合は、移動機２Ａと移動機２Ｂの両方の通信エリアに存在する移動機を中継機として機能させることで移動機間直接通信を行う。
【０００８】
次に、従来の中継機能を有する移動機の一構成例を図４に示す。この移動機は、アンテナ部１０１、デュプレクサ１０２、送信部１０３、受信部１０４、制御部１０５、メモリ１０６、スピーカ１０７、表示部１０８、入力部１０９、マイク１１０と電源スイッチ１１１から構成される。
【０００９】
【発明が解決しようとする課題】
しかしながら上述した図２（ｃ）と（ｄ）等の状況において、中継の機能を有する移動機２Ｃの電源がＯＦＦになっている又は中継を行なっている時に電源ＯＦＦにされると全ての機能が停止するため、通信の中継が行われず移動機２Ａと移動機２Ｂで通信ができなくなるという問題が発生する。このため、移動機間で重要な通信を行いたい場合でも、通信が行えないという状況が発生する。
【００１０】
本発明は上述した課題に鑑みてなされたものであり、移動機間で直接通信ができない場合に、移動機２Ａと移動機２Ｂの両方の通信エリア内に存在する中継機能を有する移動機２Ｃの電源がＯＦＦになっている場合でも、移動機間の通信に影響を与えない中継機能を有する移動機を提供することを目的とする。
【００１１】
【課題を解決するための手段】
他の移動機間における通信の中継を行なう中継機能を有する移動機であって、前記移動機の電源がＯＦＦにされた場合に、少なくとも中継機能を動作させる電源を供給するようにしたことを特徴とする移動機であり、基地局の電波の届かない場所で移動機間で直接通信を行っている場合に中継を行っている移動機の電源がＯＦＦになっても中継機能の部分には電源が供給されるため、移動機間の直接通信に影響を与えることが無くなる。
【００１２】
【発明の実施の形態】
本発明に係る中継機能を有する移動機について説明を行う。本発明に係る中継機能を有する移動機は、電源スイッチをＯＦＦにしても全ての機能を停止させず、中継に関する部分には常に電源を供給するようにすることで、移動機間で直接通信を行えない場合でも、中継機能を利用し通信を行えるようにしたものである。
【００１３】
次に、本発明の中継機能を有する移動機の一構成を図１に示す。図１は本発明の実施の形態に係る移動機の構成ブロック図である。図１に示すように本移動機の基本的な構成は、図４に示した従来の中継機能を有する移動機の構成とほぼ同様である。従来と同様の部分としてアンテナ部１０１、デュプレクサ１０２、送信部１０３、受信部１０４、制御部１０５、メモリ１０６、スピーカ１０７、表示部１０８、入力部１０９、マイク１１０とを備え、本移動機の特徴部分として主電源スイッチ１１２と副電源スイッチ１１３が新たに設けられている。
【００１４】
本移動機の特徴部分について図１を用いて説明する。本実施例の中継機能を有する移動機は、主電源スイッチと副電源スイッチの２つの電源スイッチを備えた構成になっている。主電源スイッチ１１２とは、図４の電源スイッチ１１１と同様の機能を持ち、副電源スイッチ１１３は、ＯＦＦになっても、主電源スイッチとは違い全ての電源をＯＦＦにするのではなく中継機能に関する部分を除いて電源ＯＦＦにするものである。
【００１５】
また図１に示す移動機は、端末内側に主電源スイッチ１１２、端末外側に副電源スイッチ１１３を備えている構成になっている。このため通常使用者は、副電源スイッチ１１３をＯＮ及びＯＦＦすることになる。このため移動機の中継機能に関する部分には常に電源が供給されるようになるため、移動機間の直接通信に影響を与えることが無くなる。
【００１６】
次に、移動機の主電源スイッチ１１２をＯＦＦにした場合と、副電源スイッチ１１３をＯＦＦにした場合の移動機動作の流れを図３のフローチャートを用いて説明する。図３（ａ）に示すフローチャートは、主電源スイッチ１１２をＯＦＦにした場合の移動機の動作を示すフローチャートである。移動機の主電源スイッチ１１２をＯＦＦにすると、全機能が停止Ｓ１するため中継機能に関する部分への電力供給は止まる。再び移動機の主電源スイッチ１１２をＯＮにすると移動機全体に電源が供給され全機能が使用できるようになる。
【００１７】
図３（ｂ）に示すフローチャートは、副電源スイッチ１１３をＯＦＦにした場合の移動機の動作を示すフローチャートである。移動機の副電源スイッチ１１３をＯＦＦにするとＳ２、中継機能に関する部分以外の電源は供給されないようになる。副電源スイッチＯＦＦ時に、他の移動機から中継動作要求があった場合は、中継要求を確認しＳ３、中継動作Ｓ４を行う。他の移動機より中継要求が無い場合は、中継動作は行わず、副電源スイッチがＯＮになったか否かの判断Ｓ５を定期的に繰り返す。副電源スイッチがＯＮになったと判断した場合は、移動機全体に電源が供給され、主電源スイッチがＯＮされているときと同様に通常の動作に復帰する。
【００１８】
前記記載の第１の実施例の移動機は、電源スイッチを２つ設けることで電源供給を行なったが、電源供給を操作する方法としては１つの電源スイッチでスイッチを押している時間や回数で、移動機の全機能を停止させたり、中継機能に関する部分にのみ電源を供給するようにしてもよい。また、移動機をある一定時間使用していない場合は、一定時間経過後に自動的に一部の部分にのみ電源を供給し、他の部分の電源供給はＯＦＦにするようにしてもよい。
【００１９】
以上のことより、基地局の電波の届かない場所で移動機間で直接通信を行っている場合に中継を行っている移動機の電源スイッチがＯＦＦになっても中継機能の部分には電源が供給されているため、移動機間の直接通信に影響を与えることが無くなるという効果がある。
【図面の簡単な説明】
【図１】本発明に係る中継機能を有する移動機構成の一例を示すブロック図
【図２】移動機２Ａと移動機２Ｂと移動機２Ｃの位置関係を示す図
【図３】主電源スイッチ又は副電源スイッチがＯＦＦになった場合の移動機の動作を示すフローチャート
【図４】従来の中継機能を有する移動機構成の一例を示すブロック図
【符号の説明】
２Ａ、２Ｂ、２Ｃ：移動機、  ２０Ａ：移動機２Ａの通信エリア、２０Ｂ：移動機２Ｂの通信エリア、  ２０Ｃ：移動機２Ｃの通信エリア
１０１：アンテナ部、１０２：デュプレクサ、１０３：送信部、１０４：受信部  １０５：制御部、１０６：メモリ、１０７：スピーカ、１０８：表示部
１０９：入力部、１１０：マイク、１１１：電源スイッチ、１１２：主電源スイッチ、１１３：副電源スイッチ
【図１】
2004320370.tif 000003
【図２】
2004320370.tif 000004
【図３】
2004320370.tif 000005
【図４】
2004320370.tif 000006